(57)【特許請求の範囲】
【請求項１】
閲覧者端末に表示されるＷｅｂページを介して他のＷｅｂページの集合であるＷｅｂサイトを閲覧させるための情報を配信する配信装置と通信可能に接続される情報処理装置において、
前記閲覧者端末を使用する閲覧者に付与されるインセンティブに関するインセンティブ情報を登録する登録手段と、
前記インセンティブを付与するためのタグを発行する発行手段と、
前記登録されたインセンティブ情報に基づいて前記閲覧者にインセンティブを付与する付与手段と
を具備し、
前記発行されたタグは、前記Ｗｅｂサイト中のコンバージョンが発生するＷｅｂページに埋め込まれ、
前記インセンティブを付与する契機となる前記コンバージョンの発生に割り当てられた識別子は、前記ＷｅｂサイトのＵＲＬに付与されることによって、前記コンバージョンが発生するＷｅｂページに引き継がれ、
前記付与手段は、前記配信された情報に基づいて前記Ｗｅｂサイト中のコンバージョンが発生するＷｅｂページが閲覧されることによって当該Ｗｅｂページに埋め込まれたタグが起動された場合に、当該Ｗｅｂページに引き継がれている識別子が割り当てられているコンバージョンの発生に応じたインセンティブを付与する
情報処理装置。
【請求項２】
判定手段を更に含み、
前記インセンティブ情報は、付与可能なポイントの上限を示す上限インセンティブ数を含み、
前記判定手段は、前記上限インセンティブ数に基づいて前記閲覧者に前記インセンティブを付与するかを判定し、
前記付与手段は、前記閲覧者に前記インセンティブを付与すると判定された場合に、前記閲覧者に前記インセンティブを付与する
請求項１記載の情報処理装置。
【請求項３】
前記閲覧者端末は、前記閲覧者に前記インセンティブを付与すると判定された場合に、前記閲覧者に付与されるインセンティブを管理するためのアプリケーションプログラムを起動し、
前記閲覧者に付与されたインセンティブは、前記起動されたアプリケーションプログラムを介して管理される
請求項２記載の情報処理装置。
【請求項４】
前記判定手段は、前記上限インセンティブ数に基づいて前記閲覧者に前記インセンティブを付与するかを判定する処理を、前記アプリケーションプログラムを起動する前及び前記閲覧者に前記インセンティブを付与する前に実行する請求項３記載の情報処理装置。
【請求項５】
前記インセンティブは、前記閲覧者が利用可能なポイント、電子マネー及びクーポンのうちの少なくとも１つを含む請求項１〜４のいずれか一項に記載の情報処理装置。
【請求項６】
閲覧者端末に表示されるＷｅｂページを介して他のＷｅｂページの集合であるＷｅｂサイトを閲覧させるための情報を配信する配信装置と、当該配信装置と通信可能鵜に接続されるポイント付与装置とを備える情報処理装置において、
前記配信装置は、
前記情報を登録する登録手段と、
前記登録された情報を前記閲覧者端末に配信する配信手段と
を含み、
前記ポイント付与装置は、
前記閲覧者端末を使用する閲覧者に付与されるインセンティブに関するインセンティブ情報を登録する登録手段と、
前記インセンティブを付与するためのタグを発行する発行手段と、
前記登録されたインセンティブ情報に基づいて前記閲覧者にインセンティブを付与する付与手段と
を含み、
前記発行されたタグは、前記Ｗｅｂサイト中のコンバージョンが発生するＷｅｂページに埋め込まれ、
前記インセンティブを付与する契機となる前記コンバージョンの発生に割り当てられた識別子は、前記ＷｅｂサイトのＵＲＬに付与されることによって、前記コンバージョンが発生するＷｅｂページに引き継がれ、
前記付与手段は、前記配信された情報に基づいて前記Ｗｅｂサイト中のコンバージョンが発生するＷｅｂページが閲覧されることによって当該Ｗｅｂページに埋め込まれたタグが起動された場合に、当該Ｗｅｂページに引き継がれている識別子が割り当てられているコンバージョンの発生に応じたインセンティブを付与する
情報処理システム。
【請求項７】
閲覧者端末に表示されるＷｅｂページを介して他のＷｅｂページの集合であるＷｅｂサイトを閲覧させるための情報を配信する配信装置と通信可能に接続される情報処理装置が実行する方法であって、
前記閲覧者端末を使用する閲覧者に付与されるインセンティブに関するインセンティブ情報を登録するステップと、
前記インセンティブを付与するためのタグを発行するステップと、
前記登録されたインセンティブ情報に基づいて前記閲覧者にインセンティブを付与するステップと
を具備し、
前記発行されたタグは、前記Ｗｅｂサイト中のコンバージョンが発生するＷｅｂページに埋め込まれ、
前記インセンティブを付与する契機となる前記コンバージョンの発生に割り当てられた識別子は、前記ＷｅｂサイトのＵＲＬに付与されることによって、前記コンバージョンが発生するＷｅｂページに引き継がれ、
前記付与するステップは、前記配信された情報に基づいて前記Ｗｅｂサイト中のコンバージョンが発生するＷｅｂページが閲覧されることによって当該Ｗｅｂページに埋め込まれたタグが起動された場合に、当該Ｗｅｂページに引き継がれている識別子が割り当てられているコンバージョンの発生に応じたインセンティブを付与するステップを含む
方法。
【請求項８】
閲覧者端末に表示されるＷｅｂページを介して他のＷｅｂページの集合であるＷｅｂサイトを閲覧させるための情報を配信する配信装置と通信可能に接続される情報処理装置のコンピュータによって実行されるプログラムであって、
前記コンピュータに、
前記閲覧者端末を使用する閲覧者に付与されるインセンティブに関するインセンティブ情報を登録するステップと、
前記インセンティブを付与するためのタグを発行するステップと、
前記登録されたインセンティブ情報に基づいて前記閲覧者にインセンティブを付与するステップと
を実行させ、
前記発行されたタグは、前記Ｗｅｂサイト中のコンバージョンが発生するＷｅｂページに埋め込まれ、
前記インセンティブを付与する契機となる前記コンバージョンの発生に割り当てられた識別子は、前記ＷｅｂサイトのＵＲＬに付与されることによって、前記コンバージョンが発生するＷｅｂページに引き継がれ、
前記付与するステップは、前記配信された情報に基づいて前記Ｗｅｂサイト中のコンバージョンが発生するＷｅｂページが閲覧されることによって当該Ｗｅｂページに埋め込まれたタグが起動された場合に、当該Ｗｅｂページに引き継がれている識別子が割り当てられているコンバージョンの発生に応じたインセンティブを付与するステップを含む
プログラム。
【発明の詳細な説明】
【技術分野】
【０００１】
本発明は、情報処理装置、情報処理システム、方法及びプログラムに関する。
【背景技術】
【０００２】
近年、インターネット上にあるＷｅｂページには、多数の広告が表示される。これに関連して、例えば特許文献１には、ユーザが検索した検索クエリをクッキーから取得し、当該検索クエリに関連する広告を提示する技術が開示されている。【０００３】
しかしながら、単にＷｅｂページに広告を表示するのみでは、広告主が期待する広告効果を得られるとは限らない。
【先行技術文献】
【特許文献】
【０００４】
【特許文献１】特開２０１１−２５８２０８号公報
【発明の概要】
【発明が解決しようとする課題】
【０００５】
そこで、本発明の目的は、広告効果を向上させることが可能な情報処理装置、情報処理システム、方法及びプログラムを提供することにある。
【課題を解決するための手段】
【０００６】
本発明の１つの態様によれば、閲覧者端末に表示されるＷｅｂページを介して他のＷｅｂページの集合であるＷｅｂサイトを閲覧させるための情報を配信する配信装置と通信可能に接続される情報処理装置が提供される。前記情報処理装置は、登録手段と、発行手段と、付与手段とを具備する。前記登録手段は、前記閲覧者端末を使用する閲覧者に付与されるインセンティブに関するインセンティブ情報を登録する。前記発行手段は、前記インセンティブを付与するためのタグを発行する。前記付与手段は、前記登録されたインセンティブ情報に基づいて前記閲覧者にインセンティブを付与する。前記発行されたタグは、前記Ｗｅｂサイト中のコンバージョンが発生するＷｅｂページに埋め込まれる。前記インセンティブを付与する契機となる前記コンバージョンの発生に割り当てられた識別子は、前記ＷｅｂサイトのＵＲＬに付与されることによって、前記コンバージョンが発生するＷｅｂページに引き継がれる。前記付与手段は、前記配信された情報に基づいて前記Ｗｅｂサイト中のコンバージョンが発生するＷｅｂページが閲覧されることによって当該Ｗｅｂページに埋め込まれたタグが起動された場合に、当該Ｗｅｂページに引き継がれている識別子が割り当てられているコンバージョンの発生に応じたインセンティブを付与する。
【発明の効果】
【０００７】
本発明は、広告効果を向上させることを可能とする。
【図面の簡単な説明】
【０００８】
【図１】図１は、実施形態に係るポイント付与装置を含むポイント付与システムの構成の一例を示す図である。
【図２】図２は、ポイント付与装置のハードウェア構成の一例を示す図である。
【図３】図３は、ポイント付与装置の機能構成の一例を示すブロック図である。
【図４】図４は、ポイント付与システムにおいて実行されるポイント設定処理及びポイント付与処理の概要について説明するための図である。
【図５】図５は、ポイント設定処理の処理手順の一例を示すシーケンスチャートである。
【図６】図６は、ポイント付与処理の処理手順の一例を示すシーケンスチャートである。
【発明を実施するための形態】
【０００９】
以下、図面を参照して、本発明の実施形態について説明する。  
図１は、本実施形態に係るポイント付与システム（情報処理システム）の構成の一例を示す。なお、図１に示すポイント付与システムは、広告を表示する領域（以下、広告表示枠と表記）を有するＷｅｂページを閲覧する閲覧者（ユーザ）に対して当該広告表示枠を利用して広告を提示する際に用いられる。
【００１０】
図１に示すように、ポイント付与システムは、広告主端末１０、広告配信装置２０、閲覧者端末（ユーザ端末）３０及びポイント付与装置４０を備える。なお、広告主端末１０、広告配信装置２０、閲覧者端末３０及びポイント付与装置４０は、インターネットのようなネットワーク５０を介して通信可能に接続される。
【００１１】
広告主端末１０は、上記した閲覧者に提示される広告の広告主によって使用される。広告主端末１０は、例えばパーソナルコンピュータ等の電子機器であればよい。
【００１２】
広告配信装置２０は、閲覧者に提示される広告を管理するためのサーバ装置に相当する。なお、図１に示すポイント付与システムは複数の広告主端末１０を備えていてもよく、広告配信装置２０は、複数の広告主の広告を管理するように構成されていてもよい。
【００１３】
閲覧者端末３０は、上記したＷｅｂページ等を閲覧する閲覧者によって使用される。閲覧者端末３０としては例えばスマートフォンを想定しているが、当該閲覧者端末３０は、他の電子機器であってもよい。図１においては便宜的に１つの閲覧者端末３０のみが示されているが、図１に示すポイント付与システムは複数の閲覧者端末３０を備えている。
【００１４】
ポイント付与装置４０は、閲覧者端末３０を使用する閲覧者に対してポイントを付与するためのサーバ装置（情報処理装置）に相当する。なお、本実施形態においては、ポイント付与装置４０が閲覧者にポイントを付与するものとして説明するが、当該ポイントは閲覧者に対して付与されるインセンティブの一例であり、当該インセンティブは、閲覧者が利用することができるものであれば、例えば電子マネーやクーポン（割引券）のようなものであっても構わない。
【００１５】
図２は、図１に示すポイント付与装置４０のハードウェア構成の一例を示す。図２に示すように、ポイント付与装置４０は、バス４１に接続された不揮発性メモリ４２、ＣＰＵ４３、メインメモリ４４及び通信デバイス４５等を備える。
【００１６】
不揮発性メモリ４２は、各種プログラムを格納する。不揮発性メモリ４２に格納されている各種プログラムには、ポイント付与装置４０上で動作するソフトウェアが含まれる。
【００１７】
ＣＰＵ４３は、例えば不揮発性メモリ４２に格納されている各種プログラムを実行する。なお、ＣＰＵ４３は、ポイント付与装置４０全体の制御を司るものである。
【００１８】
メインメモリ４４は、例えばＣＰＵ４３が各種プログラムを実行する際に必要とされるワークエリア等として使用される。
【００１９】
通信デバイス４５は、ポイント付与装置４０とは異なる外部装置との有線または無線通信を制御する機能を有する。
【００２０】
なお、図２においてはポイント付与装置４０が不揮発性メモリ４２、ＣＰＵ４３、メインメモリ４４及び通信デバイス４５を備えるものとして説明したが、ポイント付与装置４０は、例えばＨＤＤ（Hard Disk Drive）及びＳＳＤ（Solid State Drive）等の他の記憶装置を備えていてもよい。
【００２１】
ここではポイント付与装置４０のハードウェア構成について説明したが、例えば広告配信装置２０のハードウェア構成についても図２と同様である。
【００２２】
また、詳しい説明については省略するが、例えば広告主端末１０がパーソナルコンピュータである場合には、当該広告主端末１０のハードウェア構成は、図２に示す構成に加えて入力デバイス（例えば、マウス及びキーボード）及び表示デバイス（例えば、液晶ディスプレイ）等を更に備えていればよい。また、閲覧者端末３０がスマートフォンである場合には、当該閲覧者端末３０のハードウェア構成は、図２に示す構成に加えてタッチスクリーンディスプレイ等を更に備えていればよい。
【００２３】
図３は、本実施形態に係るポイント付与装置４０の機能構成の一例を示すブロック図である。図３に示すように、ポイント付与装置４０は、取得部４０１、格納部４０２、タグ発行部４０３、パラメータ発行部４０４、判定部４０５及びポイント付与部４０６を含む。
【００２４】
本実施形態において、取得部４０１、タグ発行部４０３、パラメータ発行部４０４、判定部４０５及びポイント付与部４０６は、例えば図２に示すＣＰＵ４３（つまり、ポイント付与装置４０のコンピュータ）が不揮発性メモリ４２に格納されている所定のプログラムを実行すること、すなわち、ソフトウェアによって実行される。なお、このＣＰＵ４３によって実行されるプログラムは、コンピュータ読み取り可能な記憶媒体に予め格納して頒布されてもよいし、ネットワーク５０を介してポイント付与装置４０にダウンロードされても構わない。また、本実施形態において、格納部４０２は、例えば図２に示す不揮発性メモリ４２または他の記憶装置によって実現される。
【００２５】
ここで、本実施形態に係るポイント付与装置４０は、Ｗｅｂページ（の広告表示枠）に表示される広告（デジタル広告）に関連したコンバージョンの発生に応じて当該閲覧者端末３０を使用する閲覧者にポイントを付与する機能を有する。
【００２６】
なお、コンバージョンとは、広告の最終的な成果を意味する。具体的には、例えば広告サイトがＥＣサイトであれば、コンバージョンは当該ＥＣサイトで販売されている商品を閲覧者が購入したこと等に相当する。また、例えば広告サイトが情報提供サイトであれば、コンバージョンは閲覧者が会員登録を行うこと等に相当する。
【００２７】
取得部４０１は、広告主端末１０において作成されるキャンペーンに関するキャンペーン情報を取得する。なお、キャンペーンとは、閲覧者に対して提示される（つまり、Ｗｅｂページに表示される）広告をポイント付与装置４０において管理する単位に相当する。
【００２８】
また、取得部４０１は、広告主端末１０において作成されるイベントに関するイベント情報を取得する。本実施形態において、イベントは、上記したコンバージョンの発生に相当し、キャンペーンに対して複数作成され得る。なお、イベント情報には、閲覧者に付与されるポイントに関する情報が含まれる。
【００２９】
上記したように取得部４０１によって取得されたキャンペーン情報及びイベント情報は、格納部４０２に登録される。
【００３０】
タグ発行部４０３は、ポイントを付与するためのタグを発行する。なお、タグは、ＪａｖａＳｃｒｉｐｔ（登録商標）で記述されたプログラム（ソフトウェア）に相当し、広告主端末１０を使用する広告主による設定に基づいて発行される。タグ発行部４０３によって発行されたタグは、広告主端末１０に送信される。
【００３１】
ここで、Ｗｅｂページに表示される広告は広告主によって指定されたＷｅｂサイト（つまり、広告主のＷｅｂサイト等）と関連づけられており、当該Ｗｅｂサイトは例えばＨＴＭＬ（HyperText Markup Language）で記述されている。この場合、上記したようにタグ発行部４０３（ポイント付与装置４０）から広告主端末１０に送信されたタグは、当該広告主端末１０において作成された広告と関連づけられているＷｅｂサイト（ＨＴＭＬファイル）に埋め込まれる。
【００３２】
パラメータ発行部４０４は、上記したイベント情報に割り当てられる識別子（イベント識別子）を広告に対するパラメータ（当該広告のパラメータ）として発行する。パラメータ発行部４０４によって発行されたパラメータは、上記したイベント（に関するイベント情報）と広告とをリンクし（対応づけ）、ポイントが付与される契機となる広告をトレースするために用いられる。
【００３３】
判定部４０５は、閲覧者端末３０に表示されたＷｅｂページに対する閲覧者の操作によって、当該Ｗｅｂページの広告表示枠に表示されている広告に関連づけられているＷｅｂサイト（以下、広告サイトと表記）が表示され、当該広告に関連したコンバージョンの発生が計測された際に、格納部４０２に格納されているイベント情報（ポイントに関する情報）に基づいて閲覧者にポイントを付与するか否かを判定する。
【００３４】
ポイント付与部４０６は、閲覧者にポイントを付与すると判定された場合に、当該閲覧者にポイントを付与する。
【００３５】
以下、本実施形態に係るポイント付与システムの動作について説明する。本実施形態において、ポイント付与システムは、閲覧者に付与されるポイントに関する設定を行うための処理（以下、ポイント設定処理と表記）及び当該閲覧者にポイントを付与する処理（以下、ポイント付与処理と表記）を実行する。
【００３６】
まず、図４を参照して、図１に示すポイント付与システムにおいて実行されるポイント設定処理及びポイント付与処理の概要について簡単に説明する。
【００３７】
ポイント設定処理において、広告主端末１０を使用する広告主は、イベント（以下、ポイント付与イベントと表記）をポイント付与装置４０に対して定義（設定）する。このポイント付与イベントにおいては、広告サイトにおける１回のコンバージョンの発生に応じて閲覧者に付与するポイント数（以下、付与ポイント数と表記）、広告主が付与することができるポイント総数（以下、上限ポイント数と表記）及び同一の閲覧者にポイントを付与することができる回数（以下、同一閲覧者上限回数と表記）等が定義される。このように定義されたイベントに関するイベント情報は、ポイント付与装置４０において管理される。
【００３８】
また、上記したポイント付与イベントは、ポイントを付与するためのタグと称されるプログラム（以下、ポイント付与タグと表記）によって実現される。ここで、広告サイトはドメインが同一のＵＲＬ（Uniform Resource Locator）が割り当てられているＷｅｂページの集合を意味するが、本実施形態においては、当該広告サイト中のコンバージョンが発生（完了）するＷｅｂページ（以下、コンバージョンページと表記）にポイント付与タグを埋め込むことにより、閲覧者に対するポイントの付与が実現される。なお、広告サイトがＥＣサイトである場合、コンバージョンページとは、例えば商品の購入後に表示されるサンクスページ等と称されるＷｅｂページ（当該商品の購入が完了したことを通知するためのＷｅｂページ）である。
【００３９】
また、ポイント設定処理において、広告主は、広告主端末１０を操作することによって広告（デジタル広告）を作成する。この場合、広告主によって作成された広告と上記したポイント付与イベントとを対応づけるため、当該ポイント付与イベント（に関するイベント情報）に対して割り当てられた識別子がパラメータとして当該広告に対して設定される。
【００４０】
一方、ポイント付与処理において、閲覧者は、閲覧者端末３０において閲覧したＷｅｂページの広告表示枠に表示されている広告を指定（選択）することによって、当該広告に関連づけられている広告サイトを閲覧することができる。この広告サイトにおいてコンバージョンが発生した場合、上記したコンバージョンページに埋め込まれたポイント付与タグが動作することによって、閲覧者に対しポイントが付与される。
【００４１】
なお、閲覧者に対して付与されたポイントは、当該ポイントを管理するためのアプリケーションプログラム（以下、ポイント管理アプリケーションと表記）において管理される。ポイント管理アプリケーションは、例えばウォレット（Ｗａｌｌｅｔ）機能を有するアプリケーションプログラムであるが、他のアプリケーションプログラムであってもよい。
【００４２】
次に、図５のシーケンスチャートを参照して、ポイント設定処理の処理手順について詳細に説明する。
【００４３】
まず、広告主端末１０は、当該広告主端末１０に対する広告主の操作に応じてキャンペーンを作成する（ステップＳ１）。
【００４４】
ステップＳ１の処理が実行されると、当該ステップＳ１において作成されたキャンペーンに関するキャンペーン情報がポイント付与装置４０に送信される（ステップＳ２）。なお、ステップＳ２において送信されるキャンペーン情報には、例えばキャンペーンの名称、広告サイトのＵＲＬ、当該キャンペーンに割り当てられている１日の予算及びステータス（有効または無効）等が含まれる。
【００４５】
次に、ポイント付与装置４０に含まれる取得部４０１は、ステップＳ２において広告主端末１０から送信されたキャンペーン情報を受信し、当該キャンペーン情報を格納部４０２に登録（格納）する（ステップＳ３）。
【００４６】
ステップＳ３の処理が実行されると、ポイント付与装置４０は、キャンペーン（キャンペーン情報）の登録が完了したことを広告主端末１０（つまり、広告主）に通知する（ステップＳ４）。
【００４７】
次に、広告主端末１０は、当該広告主端末１０に対する広告主の操作に応じてステップＳ１において作成されたキャンペーンに対してポイント付与イベントを作成（定義）する（ステップＳ５）。
【００４８】
ステップＳ５の処理が実行されると、当該ステップＳ５において作成されたポイント付与イベントに関するイベント情報がポイント付与装置４０に送信される（ステップＳ６）。
【００４９】
なお、ステップＳ６において送信されるイベント情報には、例えばステップＳ５において作成されたポイント付与イベントの名称及び種別や、当該ポイント付与イベントに割り当てられている予算等の情報が含まれる。また、上記したように本実施形態におけるポイント付与イベントは例えばコンバージョンの発生に相当するが、イベント情報には、当該コンバージョンの発生に応じて付与されるポイントに関するポイント情報（インセンティブ情報）として、上記した付与ポイント数（イベント１回当たりのポイント数）、上限ポイント数及び同一閲覧者上限回数等が含まれる。なお、このポイント情報には、例えばポイントを付与する期間（還元期間）及びポイント付与イベントのステータス（有効または無効）等の他の情報が含まれていてもよい。上記したイベント情報に含まれる各種情報は、上記したステップＳ５において広告主端末１０を使用（操作）する広告主によって定義される。
【００５０】
次に、ポイント付与装置４０に含まれる取得部４０１は、ステップＳ６において広告主端末１０から送信されたイベント情報を受信し、当該イベント情報を格納部４０２に登録（格納）する（ステップＳ７）。
【００５１】
ステップＳ３の処理が実行されると、ポイント付与装置４０は、イベント付与イベント（イベント情報）の登録が完了したことを広告主端末１０（つまり、広告主）に通知する（ステップＳ８）。
【００５２】
次に、広告主は、閲覧者に対してポイントを付与するためのポイント付与タグの発行を指示する操作（以下、タグ発行操作と表記）を、広告主端末１０に対して行うことができる。この場合、広告主端末１０は、広告主によって行われたタグ発行操作を受け付ける（ステップＳ９）。なお、タグ発行操作には、例えばイベントが作成された後に広告主端末１０（のＵＩ）に表示されるタグ一覧（キャンペーン一覧）テーブルから「タグを表示」ボタンを押下する操作等が含まれる。
【００５３】
ステップＳ９の処理が実行されると、広告主端末１０は、当該ステップＳ９において受け付けられたタグ発行操作に応じて、ポイント付与タグの発行をポイント付与装置４０に要求する（ステップＳ１０）。
【００５４】
ポイント付与装置４０に含まれるタグ発行部４０３は、ステップＳ１０における広告主端末１０からの要求に応じて、ポイント付与タグを発行する（ステップＳ１１）。
【００５５】
ステップＳ１１の処理が実行されると、タグ発行部４０３は、当該ステップＳ１１において発行されたポイント付与タグを広告主端末１０に送信する（ステップＳ１２）。
【００５６】
この場合、ステップＳ１２においてポイント付与装置４０（タグ発行部４０３）から送信されたポイント付与タグは、広告主端末１０において広告サイト中のコンバージョンページに埋め込まれる（ステップＳ１３）。
【００５７】
また、広告主は、上記したステップＳ５において作成されたポイント付与イベント（ステップＳ７において登録されたイベント情報）に割り当てられるイベント識別子（以下、広告パラメータと表記）の発行を指示する操作（以下、パラメータ発行操作と表記）を、広告主端末１０に対して行うことができる。この場合、広告主端末１０は、広告主によって行われたパラメータ発行操作を受け付ける（ステップＳ１４）。なお、パラメータ発行操作は、上記したタグ発行操作と同様の操作であってもよいし、当該タグ発行操作と異なる操作であってもよい。
【００５８】
ステップＳ１４の処理が実行されると、広告主端末１０は、当該ステップＳ１４において受け付けられたパラメータ発行操作に応じて、広告パラメータの発行をポイント付与装置４０に要求する（ステップＳ１５）。
【００５９】
ポイント付与装置４０に含まれるパラメータ発行部４０４は、ステップＳ１５における広告主端末１０からの要求に応じて、広告パラメータ（キー及びイベント識別子の組）を発行する（ステップＳ１６）。
【００６０】
ステップＳ１６の処理が実行されると、パラメータ発行部４０４は、当該ステップＳ１６において発行された広告パラメータを広告主端末１０に送信する（ステップＳ１７）。この場合、広告パラメータは、暗号化されて送信されても構わない。
【００６１】
次に、広告主端末１０は、当該広告主端末１０に対する広告主の操作に応じて広告（デジタル広告）を作成する（ステップＳ１８）。なお、ステップＳ１８において作成される広告には、例えば画像または動画等のコンテンツが含まれていてもよい。また、ステップＳ１８において作成される広告には、当該広告に関連づけられている広告サイトのＵＲＬが埋め込まれている。
【００６２】
ステップＳ１８の処理が実行されると、広告主端末１０は、ステップＳ１７においてポイント付与装置４０（パラメータ発行部４０４）から送信された広告パラメータ及びステップＳ１８において作成された広告を広告配信装置２０に送信する（ステップＳ１９）。
【００６３】
ステップＳ１９において広告主端末１０から送信された広告パラメータ及び広告（を識別するための識別情報）は、対応づけて広告配信装置２０内に登録される（ステップＳ２０）。これにより、ポイント付与イベント（に割り当てられている広告パラメータ）と広告とを関連づけて管理することが可能となる。
【００６４】
なお、図５においては便宜的にステップＳ１〜Ｓ２０の順で処理が実行されるものとして説明したが、当該ステップＳ１〜Ｓ２０の処理は適宜入れ替えられてもよい。具体的には、例えばステップＳ１〜Ｓ８の処理（キャンペーン・イベント作成）とステップＳ１８及びＳ１９の処理（広告作成）とが並行して実行されてもよいし、例えばステップＳ９〜Ｓ１３の処理とステップＳ１４〜Ｓ２０の処理とが並行して実行されてもよい。また、ステップＳ１８及びＳ１９の処理が実行された後に、ステップＳ１４〜Ｓ１７及びＳ２０の処理が実行されることによって、作成済みの広告に対して後から広告パラメータを設定するようにすることも可能である。
【００６５】
また、図５においては１つの広告主端末１０について説明したが、上記したポイント設定処理は、広告主端末１０（を使用する広告主）毎に実行される。また、同一の広告主であっても、異なるキャンペーンが作成される場合には、ステップＳ１以降の処理が繰り返し実行される。また、既に作成されたキャンペーンに対して複数のイベント（ポイント付与イベント）が作成される場合には、ステップＳ４以降の処理が繰り返されればよい。
【００６６】
次に、図６のシーケンスチャートを参照して、ポイント付与処理の処理手順について詳細に説明する。
【００６７】
まず、閲覧者端末３０上で動作するブラウザは、閲覧者によって指定されたＷｅｂページを表示する（ステップＳ３１）。
【００６８】
ここで、ブラウザは、ステップＳ１１において表示されたＷｅｂページ内に広告を表示するための広告表示枠が存在する場合、当該広告表示枠の存在を広告配信装置２０に通知する（ステップＳ３２）。
【００６９】
広告配信装置２０は、ステップＳ３２におけるブラウザからの通知に応じて、当該広告配信装置２０に登録されている広告の中から閲覧者に提示する（つまり、Ｗｅｂページ内の広告表示枠に表示する）広告を決定する（ステップＳ３３）。なお、広告配信装置２０に登録されている広告は運用型デジタル広告であり、Ｗｅｂページ内の広告表示枠に表示する広告は、例えば当該広告表示枠に対する入札価格等に応じて決定される。この広告表示枠に表示する広告を決定する仕組みは、例えばＳＳＰ（Supply-Side Platform）及びＤＳＰ（Demand-Side Platform）と称されるプラットフォームによって提供されてもよい。
【００７０】
以下の説明においては、便宜的に、ステップＳ３３において決定された広告を対象広告、当該広告の広告主を対象広告主と称する。
【００７１】
ステップＳ３３の処理が実行されると、対象広告が閲覧者端末３０に配信される（ステップＳ３４）。
【００７２】
次に、閲覧者端末３０上で動作するブラウザは、ステップＳ３１において表示されたＷｅｂページ内の広告表示枠に、ステップＳ３４において広告配信装置２０から配信された対象広告を表示する（ステップＳ３５）。
【００７３】
ここで、閲覧者端末３０が例えばスマートフォンである場合、閲覧者は、ブラウザによって表示されたＷｅｂページ内の対象広告（が表示されている領域）をタッチする操作（以下、タッチ操作と表記）を行うことができる。なお、閲覧者によるタッチ操作は、閲覧者端末３０（スマートフォン）に備えられる例えばタッチスクリーンディスプレイ（タッチパネル）によって検出可能である。
【００７４】
上記したタッチ操作が行われた場合、閲覧者端末３０は、対象広告に対するタッチ操作が行われたことを広告配信装置２０に通知する（ステップＳ３６）。
【００７５】
ステップＳ３６の処理が実行されると、広告配信装置２０は、対象広告に対応づけて登録されている広告パラメータ（イベント識別子）を取得し、当該広告パラメータを閲覧者端末３０に送信する（ステップＳ３７）。
【００７６】
次に、閲覧者端末３０上で動作するブラウザは、上記したタッチ操作が行われた対象広告に関連づけられている広告サイト（のトップページ）を表示する（ステップＳ３８）。なお、この広告サイトは、上記したＷｅｂページ内の対象広告に埋め込まれている当該広告サイトのＵＲＬに基づいて表示される。また、上記したステップＳ３７において閲覧者端末３０から送信された広告パラメータは、広告サイトのＵＲＬに付与される。なお、この広告パラメータは、広告サイトを構成する広告ページ（つまり、ドメインが同一のＵＲＬが割り当てられているＷｅｂページ）が表示されている限り引き継がれる。
【００７７】
なお、広告パラメータを広告サイト中のコンバージョンページ（サンクスページ）等に引き継ぐためには、例えばＧｏｏｇｌｅ（登録商標）  Ａｎａｌｙｔｉｃｓ（以下、ＧＡと表記）等のソフトウェアを用いる。この場合、ＧＡのトラッキングタグをランディングページ（広告をクリックした際に遷移するページ）等の広告サイト中のＷｅｂページに埋め込んでおく。
【００７８】
これによれば、ＧＡにより広告パラメータがブラウザのクッキーに保存されるため、広告サイトでの当該広告パラメータの参照が可能となる。換言すれば、ＧＡを用いることにより、広告サイトに埋め込まれたタグが起動する際に、クッキーの情報として広告パラメータを取得することが可能となる。
【００７９】
ここではＧＡを用いる場合について説明したが、ＧＡを用いない場合には、広告パラメータを保持する処理を実現するための専用のソフトウェア（タグ）を用意し、ランディングページに埋め込むようにしてもよい。なお、広告パラメータは、クッキーではなくブラウザのローカルストレージに保存されてもよい。
【００８０】
ここで、ステップＳ３８において表示された広告サイトが例えばＥＣサイトであれば、閲覧者は、閲覧者端末３０を操作することによって、当該広告サイトで販売されている商品を購入することができる。このように広告サイトで販売されている商品が購入された場合には、ブラウザは、当該商品の購入が完了したことを閲覧者に通知するためのＷｅｂページ（商品購入完了画面を表すＷｅｂページ）を表示する。
【００８１】
なお、広告サイト（コンバージョンページ）には対象広告に関連したコンバージョンの発生を計測するためのタグ（以下、コンバージョンタグと表記）が埋め込まれており、商品購入完了画面を表すＷｅｂページが表示されることによって当該コンバージョンタグが起動され、閲覧者端末３０においてコンバージョン処理が実行される（ステップＳ３９）。本実施形態において、コンバージョンタグは、上記したポイント付与タグとは異なるタグ（プログラム）である。具体的には、コンバージョンタグは広告配信装置２０によって使用されるタグであり、ポイント付与タグはポイント付与装置４０によって使用されるタグである。
【００８２】
コンバージョン処理においては、対象広告サイトにおけるコンバージョンの発生が計測され、当該計測されたコンバージョンの発生を示すデータ（以下、コンバージョンデータと表記）が生成される。なお、コンバージョンデータは、例えば広告配信装置２０に送信される（ステップＳ４０）。ステップＳ４０において閲覧者端末３０から送信されたコンバージョンデータが広告配信装置２０において管理されることにより、ステップＳ３５においてＷｅｂページ内（の広告表示枠）に表示された広告の費用対効果等を把握することができる。
【００８３】
一方、上記したようにコンバージョンページ（つまり、コンバージョンタグが埋め込まれているＷｅｂページ）にはポイント付与タグが埋め込まれており、当該ポイント付与タグは、コンバージョンの発生が計測された場合に起動される。
【００８４】
ポイント付与タグが起動された場合、閲覧者端末３０は、閲覧者にポイントを付与することができるか否かを、ポイント付与装置４０に対して問い合わせる（ステップＳ４１）。なお、ステップＳ４１においては、ブラウザによって表示されている広告サイト（広告ページ）に割り当てられているＵＲＬに付与されている広告パラメータがポイント付与装置４０に送信される。
【００８５】
次に、ポイント付与装置４０に含まれる判定部４０５は、ステップＳ４１における閲覧者端末３０からの問い合わせに応じて、ポイント判定処理を実行する（ステップＳ４２）。
【００８６】
この場合、判定部４０５は、閲覧者端末３０から送信された広告パラメータ（識別子）が割り当てられているポイント付与イベントに関するイベント情報を格納部４０２から取得する。判定部４０５は、取得されたイベント情報に基づいて、閲覧者端末３０を使用する閲覧者に対してポイントを付与することが可能であるか否かを判定する。
【００８７】
ここで、イベント情報には、ポイントに関するポイント情報として、付与ポイント数、上限ポイント数及び同一閲覧者上限回数が含まれる。また、ポイント付与装置４０内では、対象広告に関連したコンバージョンの発生に応じて過去に付与された全てのポイント数（多数の閲覧者に対して付与されたポイント数）の合計値（以下、累計ポイント数と表記）及び当該対象広告に関連したコンバージョンの発生に応じて過去に閲覧者端末３０を使用する閲覧者に対してポイントが付与された回数（以下、閲覧者の累計付与回数と表記）が管理されているものとする。なお、累計付与回数は閲覧者毎に管理されている。
【００８８】
この場合、ステップＳ４２において、判定部４０５は、イベント情報（ポイント情報）に含まれる付与ポイント、上限ポイント数及び同一閲覧者上限回数と、累計ポイント数及び閲覧者の累計付与回数とに基づいて、ポイント判定処理を実行する。
【００８９】
具体的には、判定部４０５は、付与ポイント数を累計ポイント数に加算した値が上限ポイント数を超える（つまり、閲覧者にポイントを付与すると累計ポイント数が上限ポイント数を超える）場合、閲覧者に対してポイントを付与することができないと判定する。
【００９０】
一方、付与ポイント数を累計ポイント数に加算した値が上限ポイント数を超えない場合であっても、閲覧者の累計付与回数が同一閲覧者上限回数に達している場合には、当該閲覧者に対してポイントを付与することができないと判定する。
【００９１】
すなわち、付与ポイント数を累計ポイント数に加算した値が上限ポイント数を超えない場合であって、かつ、閲覧者の累計付与回数が同一閲覧者上限回数に達していない場合には、当該閲覧者に対してポイントを付与することができると判定される。
【００９２】
なお、イベント情報に例えばポイントを付与する期間（還元期間）及びポイント付与イベントのステータス（有効または無効）が含まれているものとすると、コンバージョンが発生した日時がポイントを付与する期間外である場合またはポイント付与イベントのステータスが無効である場合には、閲覧者に対してポイントを付与することができないと判定されてもよい。
【００９３】
また、上記した同一閲覧者上限回数に対して期間が設定（指定）されていてもよい。これによれば、例えば閲覧者の累計付与回数が同一閲覧者上限回数に達している場合であっても、当該同一閲覧者上限回数に対して設定されている期間が経過した場合には、当該閲覧者の累計付与回数がリセットされ、当該閲覧者に対して再度ポイントを付与することができると判定されるようになる。すなわち、例えば同一閲覧者上限回数が１回であり、当該同一閲覧者上限回数に対して１日が設定されている場合には、閲覧者に１回ポイントが付されたとしても、１日経てば当該閲覧者はポイントを再度取得することができるようになる。
【００９４】
ステップＳ４２において閲覧者に対してポイントを付与することができないと判定された場合には、図６に示すポイント付与処理は終了される。
【００９５】
一方、ステップＳ４２において閲覧者に対してポイントを付与することができると判定された場合、判定部４０５は、当該判定結果を閲覧者端末３０に通知する（ステップＳ４３）。
【００９６】
ステップＳ４３の処理が実行されると、閲覧者端末３０は、ブラウザのＡＰＩ（Application Program Interface）を介して、当該閲覧者端末３０上でポイント管理アプリケーションを起動する（ステップＳ４４）。
【００９７】
なお、閲覧者端末３０にポイント管理アプリケーションがインストールされていないような場合には、当該ポイント管理アプリケーションのインストールを促し、当該閲覧者端末３０にポイント管理アプリケーションをインストールさせた後に当該ポイント管理アプリケーションを起動するようにしてもよい。
【００９８】
ステップＳ４４の処理が実行されると、閲覧者端末３０（ポイント管理アプリケーション）は、ポイント付与装置４０に対してポイントの付与を要求する（ステップＳ４５）。
【００９９】
この場合、ポイント付与装置４０に含まれる判定部４０５は、ステップＳ４５における閲覧者端末３０からの要求に応じて、ポイント判定処理を実行する（ステップＳ４６）。なお、ステップＳ４６の処理は上記したステップＳ４２の処理と同様であるため、ここではその詳しい説明を省略する。
【０１００】
ステップＳ４６において閲覧者に対してポイントを付与することができないと判定された場合には、図６に示すポイント付与処理は終了される。
【０１０１】
一方、ステップＳ４６において閲覧者に対してポイントを付与することができると判定された場合には、ポイント付与部４０６は、上記した広告パラメータ（識別子）が割り当てられているイベントに関するイベント情報に含まれている付与ポイント数に基づいて、ポイントを閲覧者に付与（発行）する（ステップＳ４７）。これにより、閲覧者は、イベント情報に含まれている付与ポイント数と同数のポイントを獲得することができる。
【０１０２】
ステップＳ４７の処理が実行されると、閲覧者に付与されたポイント数（以下、獲得ポイント数と表記）が閲覧者端末３０（ポイント管理アプリケーション）に通知される（ステップＳ４８）。
【０１０３】
この場合、ステップＳ４８における通知に応じて、閲覧者端末３０に獲得ポイント数が表示される（ステップＳ４９）。これにより、閲覧者は、閲覧者端末３０上で獲得ポイント数を確認することができる。
【０１０４】
なお、上記したように閲覧者に対してポイントが付与された場合、ポイント付与装置４０内で管理されている累計ポイント数及び累計付与回数が更新される。具体的には、閲覧者に付与されたポイント数（獲得ポイント数）が累計ポイント数に加算され、累計付与回数に１が加算される。
【０１０５】
なお、図６に示す例では省略されているが、ポイント管理アプリケーションが起動された場合には、閲覧者端末３０にログイン画面を表示し、当該ポイント管理アプリケーションにログインするための操作（例えば、ユーザＩＤ及びパスワードの入力）を閲覧者に行わせるようにしてもよい。一方、閲覧者のユーザＩＤ及びパスワードが既にポイント管理アプリケーションにおいて保持されているような場合には、ポイント管理アプリケーションの起動に応じて、閲覧者を自動的にログインさせるようにしてもよい。更に、ポイントアプリケーションにおいて閲覧者のアカウントが作成されていない場合には、当該閲覧者のアカウントを作成する画面を閲覧者端末３０に表示し、当該アカウントが作成された後にログインさせるようにしてもよい。
【０１０６】
また、図６に示す例では、ステップＳ４６において閲覧者に対してポイントを付与することができると判定された場合に、自動的にポイントが閲覧者に付与されるものとして説明したが、例えばステップＳ４０の処理が実行された後に、当該ポイントの付与の可否について閲覧者端末３０を介して閲覧者に問い合わせるような構成としてもよい。このような構成によれば、ポイントの付与を閲覧者が拒否した場合には、処理を終了することができる。
【０１０７】
上記したように本実施形態においては、閲覧者端末３０を使用する閲覧者に付与されるポイントに関するポイント情報（インセンティブに関するインセンティブ情報）を含むイベント情報を登録し、当該ポイントを付与するためのポイント付与タグを発行し、当該登録されたイベント情報に基づいて閲覧者にポイントを付与する。なお、本実施形態において、ポイントは、ポイント付与タグが広告と関連したコンバージョンが発生する広告サイトに埋め込まれることによって、当該コンバージョンの発生に応じて閲覧者に付与される。
【０１０８】
ここで、例えば広告に関連づけられている広告サイトがＥＣサイトである場合、本実施形態によれば、当該ＥＣサイトにおいて商品を購入する（つまり、コンバージョンが発生する）ことによってポイントが付与されるため、コンバージョン率を増加させることができる。同様に、広告に関連づけられている広告サイトが情報提供サイトである場合、本実施形態によれば、当該情報提供サイトにおいて会員登録をする（つまり、コンバージョンが発生する）ことによってポイントが付与されるため、コンバージョン率を向上させることができる。
【０１０９】
このように本実施形態においては、上記した構成により、Ｗｅｂページに表示される広告に関連したコンバージョンの発生を促進させることができるため、広告効果を向上させることが可能となる。
【０１１０】
なお、上記した閲覧者に対してポイントを付与する仕組みを実現するために、例えば広告サイトのＷｅｂページを提供するサーバ装置側に機能を追加する（サーバ装置側のプログラムを修正する）ことが考えられるが、本実施形態は、このような構成と比較して、広告サイトにポイント付与タグを埋め込むのみでよいため、閲覧者に対してポイントを付与する構成を容易に実現することができる。
【０１１１】
また、本実施形態においては、上限ポイント数（広告主が付与することができる上限インセンティブ数）を含むイベント情報が登録され、当該上限ポイント数に基づいて閲覧者にポイントを付与するか否かを判定するポイント判定処理を実行する。なお、本実施形態においては、イベント情報に対して割り当てられた識別子（イベント識別子）が広告のパラメータとして広告配信装置２０に登録されており、コンバージョンの発生が計測された場合には、当該コンバージョンの発生に関連する広告のパラメータとして登録されている識別子が割り当てられているイベント情報に基づいて閲覧者にイベントを付与するか否かを判定する。
【０１１２】
本実施形態においては、このような構成により、例えば広告と当該広告に関連したコンバージョンの発生に応じて閲覧者に付与されるポイントに関するポイント情報（を含むイベント情報）とを対応づけて管理することができ、イベントからポイントを付与する契機となった広告をトレースすることができ、当該広告に対応する上限ポイント数等に基づいてポイントを付与するか否かを判定することができる。
【０１１３】
更に、本実施形態においては、閲覧者にポイントを付与すると判定された場合にポイント管理アプリケーションを起動し、当該閲覧者に付与されたポイントは当該ポイント管理アプリケーションを介して管理される。このような構成によれば、閲覧者が閲覧者端末３０に対する操作を行うことなく、当該閲覧者に対して付与されたポイントを適切に管理することが可能となる。
【０１１４】
また、本実施形態においては、上記したポイント判定処理が少なくともポイント管理アプリケーションを起動する前及び閲覧者にポイントを付与する前に実行される。
【０１１５】
このような構成によれば、ポイント管理アプリケーションを起動する前にポイント判定処理が実行されることによって、閲覧者にポイントを付与することができないにもかかわらず当該ポイント管理アプリケーションが起動されてしまうことを回避することができる。
【０１１６】
また、ポイント判定処理においては上記した上限ポイント数及び累計ポイント数等に基づいて閲覧者にポイントを付与することができるか否かが判定されるが、当該累計ポイント数は、他の閲覧者にポイントが付与されることによって変動する可能性がある。このため、例えばポイント管理アプリケーションを起動する前に実行されたポイント判定処理において閲覧者にポイントを付与することが可能であると判定されたとしても、ポイント管理アプリケーションが起動された後に閲覧者にポイントを付与する時点で、当該閲覧者にポイントを付与することができない状態となっている場合があり、このような場合に閲覧者にポイントを付与してしまうことは好ましくない。
【０１１７】
このため、本実施形態においては、このような事態を回避するために、ポイント管理アプリケーションを起動する前だけでなく、閲覧者にポイントを付与する前（直前）にもポイント判定処理を実行する構成を採用することによって、閲覧者に対して適切にポイントを付与することができる。
【０１１８】
なお、本実施形態においては、ポイント判定処理がポイント管理アプリケーションを起動する前及び閲覧者にポイントを付与する前に実行されるものとして説明したが、処理量を低減する等の観点からは、ポイント判定処理がポイント管理アプリケーションを起動する前及び閲覧者にポイントを付与する前の少なくとも一方においてポイント判定処理を実行する構成としても構わない。
【０１１９】
本実施形態においては、ポイント付与装置４０が閲覧者に対してポイント（インセンティブ）を付与する構成を有するものとして説明したが、当該ポイント付与装置４０は、当該閲覧者に対して付与されたポイントを他のインセンティブ（他のポイント、電子マネーまたはクーポン等）に変換（交換）するような機能を更に有していてもよい。
【０１２０】
また、本実施形態においては、ポイント付与装置４０が取得部４０１、格納部４０２、タグ発行部４０３、パラメータ発行部４０４、判定部４０５及びポイント付与部４０６を含む１つの装置であるものとして説明したが、当該ポイント付与装置４０は、当該各部４０１〜４０６が分散して配置された複数の装置から構成されていても構わない。
【０１２１】
また、本実施形態においては、図１に示すようにポイント付与装置４０が広告配信装置２０と別個の装置であるものとして説明したが、例えば当該ポイント付与装置４０は広告配信装置２０と一体として構成されていてもよい。
【０１２２】
なお、上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０１２３】
また、この記憶媒体としては、プログラムを記憶でき、かつコンピュータが読み取り可能な記憶媒体であれば、その記憶形式は何れの形態であってもよい。
【０１２４】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１２５】
更に、本発明における記憶媒体は、コンピュータと独立した媒体に限らず、ＬＡＮやインターネット等により伝送されたプログラムをダウンロードして記憶または一時記憶した記憶媒体も含まれる。
【０１２６】
また、記憶媒体は１つに限らず、複数の媒体から本実施形態における処理が実行される場合も本発明における記憶媒体に含まれ、媒体構成は何れの構成であってもよい。
【０１２７】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０１２８】
また、本発明におけるコンピュータとは、パソコンに限らず、情報処理機器に含まれる演算処理装置、マイコン等も含み、プログラムによって本発明の機能を実現することが可能な機器、装置を総称している。
【０１２９】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１３０】
１０…広告主端末、２０…広告配信装置、３０…閲覧者端末、４０…ポイント付与装置（情報処理装置）、４１…バス、４２…不揮発性メモリ、４３…ＣＰＵ、４４…メインメモリ、４５…通信デバイス、４０１…取得部、４０２…格納部、４０３…タグ発行部、４０４…パラメータ発行部、４０５…判定部、４０６…ポイント付与部。
【要約】
実施形態に係る情報処理装置は、閲覧者端末に表示されるＷｅｂページを介して広告を配信する広告配信装置と通信可能に接続される。情報処理装置は、登録手段と、発行手段と、付与手段とを具備する。登録手段は、閲覧者端末を使用する閲覧者に付与されるインセンティブに関するインセンティブ情報を登録する。発行手段は、インセンティブを付与するためのタグを発行する。付与手段は、登録されたインセンティブ情報に基づいて閲覧者にインセンティブを付与する。インセンティブは、発行されたタグが広告と関連したコンバージョンが発生する広告サイトに埋め込まれることによって、当該コンバージョンの発生に応じて閲覧者に付与される。【図１】
0006835343.tif 000002
【図２】
0006835343.tif 000003
【図３】
0006835343.tif 000004
【図４】
0006835343.tif 000005
【図５】
0006835343.tif 000006
【図６】
0006835343.tif 000007